(57)【要約】【課題】モップ清掃後の集塵性および収納性に優れ、さらには携帯性にも優れた集塵装置を提供することを目的とする。【解決手段】柄部の基端に床面拭き材を有するモップを起立状態で支持可能なモップ収納部と、前記モップ収納部にて支持されたモップの床面拭き材の近傍に設けられた吸込口と、前記吸込口と第１通風経路を介して連通する集塵部と、前記集塵部と第２通風経路を介して連通する排気口と、前記第２通風経路に設けられた電動送風機とを備えたことを特徴とする集塵装置。【選択図】図１
2019170664.tif 000002
【特許請求の範囲】
【請求項１】
柄部の基端に床面拭き材を有するモップを起立状態で支持可能なモップ収納部と、前記モップ収納部にて支持されたモップの床面拭き材の近傍に設けられた吸込口と、前記吸込口と第１通風経路を介して連通する集塵部と、前記集塵部と第２通風経路を介して連通する排気口と、前記第２通風経路に設けられた電動送風機とを備えたことを特徴とする集塵装置。
【請求項２】
前記モップ収納部にて支持されたモップの床面拭き材に擦りつけられて前記床面拭き材に付着したダストを払い落とす複数の突起を有するダスト払い落とし部が、前記吸気口の近傍に設けられた請求項１に記載の集塵装置。
【請求項３】
前記モップ収納部にて支持されたモップの床面拭き材に接触しながら回転して前記床面拭き材に付着したダストを払い落とす回転ブラシを有するダスト払い落とし機構部が、前記吸気口の近傍に設けられた請求項１に記載の集塵装置。
【請求項４】
前記電動送風機、前記第１通風経路および前記第２通風経路を内部に収納する筐体をさらに備え、
前記集塵部は、空気導入口を有する集塵カップと、前記集塵カップに着脱可能に設けられた空気排出口を有する除塵部とを有し、
前記筐体は、前記集塵部を着脱可能に装着する装着部を有し、
前記装着部は、前記第１通風経路と連通しかつ前記集塵部の前記空気導入口と気密に接続可能な空気流入孔と、前記第２通風経路と連通しかつ前記集塵部の前記空気排出口と気密に接続可能な空気排出孔を有する請求項１〜３のいずれか１つに記載の集塵装置。
【請求項５】
前記筐体の前記装着部が、前記集塵部を横置きまたは縦置きに装着するように構成された請求項４に記載の集塵装置。
【請求項６】
前記筐体が、前記モップ収納部にて支持されたモップの床面拭き材に対向するように開口する吹出口と、前記第２通風経路から分岐して前記吹出口と連通する循環経路とを有する請求項４または５に記載の集塵装置。
【請求項７】
前記循環経路内に配置されたイオン発生機をさらに備える請求項６に記載の集塵装置。
【発明の詳細な説明】
【技術分野】
【０００１】
本発明は、集塵装置に関し、詳しくは、モップを収納しながらモップの床面拭き材に付着したダストを除去し捕集することができる集塵装置に関する。
【背景技術】
【０００２】
床面上を拭き掃除したモップの房糸に付着したダストを除去する装置として、例えば、特許文献１に記載の掃除機および特許文献２に記載の清掃用保管台が公知である。
特許文献１の掃除機は、収納ケースの内部に吸引装置および集塵パックが備えられ、収納ケースの前面パネルの下部の吸引開口部に櫛歯状部材が設けられている。
特許文献１の掃除機によれば、床面上を乾拭きしたモップの房糸を吸引開口部に近づけることにより房糸にて集めたダストを吸引すると共に、房糸を櫛歯状部材に擦りつけることにより房糸に付着したダストを払い落として吸引し、ダストを集塵パック内に捕集することができるとされている。
【０００３】
特許文献２の清掃用具保管台は、スティック型電気掃除機を起立状態で載置するための載置台と、モップを起立状態で収納するための収納ケースとが、保管台ベースを介して並設一体化されており、載置台に載置されたスティック型電気掃除機の吸引部の吸引口と収納ケースとを連通させる連通機構を備えている。
特許文献２の清掃用具保管台によれば、スティック型電気掃除機とモップとを同時に保管できるだけでなく、保管状態においてモップの房糸に付着している塵埃をスティック型電気掃除機で吸い取ることができるとされている。
【先行技術文献】
【特許文献】
【０００４】
【特許文献１】特開２０１２−２４５３１８号公報
【特許文献２】特開２００５−１１０７８７号公報
【発明の概要】
【発明が解決しようとする課題】
【０００５】
特許文献１の掃除機の場合、吸引開口部に櫛歯状部材が設けられているが、モップの房糸を櫛歯状部材に強く押し付けると掃除機がずれ動いたり倒れたりするおそれがあるため、房糸を櫛歯部材に軽く擦りつけなければならず、そのため房糸に絡みついたダストが落ちにくいという問題がある。
また、この掃除機はモップを収納することができないため、掃除機とモップの両方の収納スペースが必要となる。
さらに、この掃除機の集塵部は紙製または布製の集塵パックであるため、集塵量が多くなると吸引力が低下しやすい傾向にある。
【０００６】
また、特許文献２の清掃用具保管台の場合、既存のスティック型電気掃除機の吸込口体が載置台に合わない場合は載置台に合うスティック型電気掃除機を新たに購入しなければならず、既存のスティック型電気掃除機が無駄となり経済的なメリットが得られない。
また、清掃用具保管台に収納されたモップとスティック型電気掃除機の両方が同じ場所で保管されることとなるため、例えば、一階の室内に清掃用具保管台を設置していれば、一階の室内にモップとスティック型電気掃除機の両方の清掃用具が保管されることとなり、二階の室内の清掃時毎にスティック型電気掃除機を運ばねばならずユーザーにとって面倒であることに加え、二階の室内をモップにて掃除する際はモップとスティック型電気掃除機と清掃用具保管台の３台を別々に二階まで運び、モップにて集めたダストをスティック型電気掃除機で吸い取り、清掃後はこれらを一階まで戻す必要がありユーザーにとって重労働となる。また、スティック型電気掃除機と清掃用具保管台を一階に置いておく場合は、モップとちり取りを二階に運んで清掃し、ちり取りに集めたダストを一階まで運んで廃棄し、モップは清掃用具保管台に収納してスティック型電気掃除機にて房糸に付着したダストを除去するという手間がかかる作業が必要となる。
【０００７】
本発明は、このような課題に鑑みなされたものであり、モップ清掃後の集塵性および収納性に優れ、さらには携帯性にも優れた集塵装置を提供することを目的とする。
【課題を解決するための手段】
【０００８】
かくして、本発明によれば、柄部の基端に床面拭き材を有するモップを起立状態で支持可能なモップ収納部と、前記モップ収納部にて支持されたモップの床面拭き材の近傍に設けられた吸込口と、前記吸込口と第１通風経路を介して連通する集塵部と、前記集塵部と第２通風経路を介して連通する排気口と、前記第２通風経路に設けられた電動送風機とを備えた集塵装置が提供される。
【発明の効果】
【０００９】
本発明の集塵装置によれば、以下の効果を奏する。
（Ｉ）床面上を乾拭きしたモップの房糸にて集めたダストを吸込口に近づけて吸い取ることができる。
（ＩＩ）清掃後にモップをモップ収納部に起立状態で収納することによりモップの床面拭き材（例えば房糸）が吸込口に位置するため、収納状態のままモップを揺すって床面拭き材に付着したダストを払い落としながら吸込口にて吸引除去することができる。
（ＩＩＩ）本発明の集塵装置にモップが収納されるため、収納スペースは集塵装置のみの収納スペースで済み省スペース化となる。
【図面の簡単な説明】
【００１０】
【図１】モップを収納した本発明の実施形態１の集塵装置を示す斜視図である。
【図２】実施形態１の集塵装置を示す斜視図である。
【図３】実施形態１の集塵装置における駆動部を右側から視た側断面図である。
【図４】実施形態１の集塵装置における駆動部を上方から視た平断面図である。
【図５】実施形態１の集塵装置における集塵部を示す斜視図である。
【図６】図５の集塵部の縦断面図である。
【図７】実施形態１の集塵装置における集塵部を示す別の斜視図である。
【図８】実施形態１の集塵装置における空気の流れを説明する平断面である。
【図９】実施形態２の集塵装置を示す斜視図である。
【図１０】実施形態２の集塵装置における駆動部を右側から視た側断面図である。
【図１１】実施形態３の集塵装置における駆動部を右側から視た側断面図である。
【図１２】実施形態４の集塵装置を示す斜視図である。
【図１３】モップを収納した実施形態５の集塵装置を示す斜視図である。
【発明を実施するための形態】
【００１１】
（実施形態１）
図１はモップを収納した本発明の実施形態１の集塵装置を示す斜視図であり、図２は実施形態１の集塵装置を示す斜視図である。また、図３は実施形態１の集塵装置における駆動部を右側から視た側断面図であり、図４は実施形態１の集塵装置における駆動部を上方から視た平断面図である。なお、実施形態１では床面拭き材として左右方向に延びる暖簾形の房糸（替糸）を有するモップ用の集塵装置を例示するが、本発明の集塵装置は暖簾形の房糸を有するモップ用に限定されるものではない。
【００１２】
この集塵装置１は、電動送風機１２を備えた駆動部１０と、駆動部１０に着脱可能に装着される集塵部とを備える。なお、実施形態１では、集塵部としてサイクロン方式のダストカップユニット２０を採用した場合を例示しているが、集塵部はサイクロン方式に限定されるものではない。
【００１３】
＜駆動部について＞
図１〜図４に示すように、駆動部１０は、電動送風機１２を内部に収納する筐体１１を有する。
この筐体１１は、表面に各種形状の凹部を有する略直方体形の外観形状を有し、モップＭを起立状態で支持可能なモップ収納部１１ａと、モップ収納部１１ａの下方に設けられた吸込口１１ｂと、ダストカップユニット２０を横置きで着脱可能に装着するようにモップ収納部１１ａの左側に設けられた装着部１１ｃと、筐体１１の右側壁に設けられた複数の小孔からなる排気口１１ｄとを備える。
【００１４】
筐体１１において、モップ収納部１１ａは、前壁下部を奥行き方向（矢印Ｙ方向）にえぐるように設けられた左右方向（矢印Ｘ方向）に長い床面拭き材収納凹部１１ａ1と、床面拭き材収納凹部１１ａと連通するように前壁から上壁に亘って上下方向（矢印Ｚ方向）に設けられた柄部収納凹部１１ａ2とを有する。
図１と図２に示すように、筐体１１のこのモップ収納部１１ａにはモップＭが起立状態で収納され、このときモップＭの柄部Ｍａの下部に設けられた掴み部Ｍｂおよび掴み部Ｍｂに着脱可能に取り付けられた床面拭き材としての房糸Ｍｃが床面拭き材収納凹部１１ａ1に収納され、モップＭの柄部Ｍａの下部（根元部）が柄部収納凹部１１ａ2に収納される。
【００１５】
さらに詳しく説明すると、床面拭き材収納凹部１１ａ1は、筐体１１の底壁から隆起した左右方向（矢印Ｘ方向）に長い隆起部１１ａ11と、隆起部１１ａ11の上面に長手方向に沿って設けられた凹曲面部１１ａ12と、凹曲面部１１ａ12の底部に設けられたスリット状の前記吸込口１１ｂと、凹曲面部１１ａ12における吸込口１１ｂの前側端縁に沿って設けられた複数の突起１１ａ131を有する櫛歯状のダスト払い落とし部１１ａ13と、凹曲面部１１ａ12よりも奥に設けられた上方へ向かうにつれて奥行き方向（矢印Ｙ方向）に傾斜する傾斜奥壁部１１ａ14とを有する。
【００１６】
柄部収納部１１ａ2は、筐体１１の前壁および上壁をえぐるようにかつ床面拭き材収納凹部１１ａ1の左右方向（矢印Ｘ方向）の中間部と連通するように形成された平面視Ｌ形の溝であり、その奥壁は上方へ向かうにつれて奥行き方向（矢印Ｙ方向）に傾斜すると共に、奥壁側に右方向へ屈折した屈折凹部１１ａ21が設けられている。
【００１７】
装着部１１ｃは、筐体１１の前壁および上壁をえぐるように形成された略半円筒形の凹部であり、この凹部は横置きしたダストカップユニット２０が略隙間無く嵌り込む形状に形成されている。
また、装着部１１ｃには、左側の壁面に前後一対の孔部が形成されており、前側の孔部は空気流入孔１１ｃ1とされ、後側の孔部は空気排出孔１１ｃ2とされ、空気流入孔１１ｃ1および空気排出孔１１ｃ2の周囲にはそれぞれパッキン１１ｃ11、１１ｃ21が設けられている。
さらに、装着部１１ｃの奥壁上部には、ダストカップユニット２０の後述する係止爪２１ｆ11が係脱可能に係止する係止凹部１１ｃ3（図３）が設けられている。
【００１８】
筐体１１の内部は複数の部屋に区画されており、吸込口１１ｂから筐体１１の内部に流入した空気は所定の順で各部屋を流通して排気口１１ｄから外部に排出される。
詳しく説明すると、筐体１１の内部において、吸込口１１ｂと空気流入孔１１ｃ1とを連通させる部屋は第１通風経路（集塵カップ吸気経路）１１ｐ1とされ、空気排出孔１１ｃ2と排気口１１ｄとを連通させる部屋が第２通風経路１１ｐ2とされており、第１通風経路１１ｐ1と第２通風経路１１ｐ2とは筐体１１内の区画壁１１ｗ1によって区画されている。
【００１９】
また、筐体１１において、電動送風機１２は第２通風経路１１ｐ2内に固定されると共に、図示しない回路基板が第２通風経路１１ｐ2内における電動送風機１２の下流側に固定されており、電動送風機１２は回路基板に電気的に接続されている。なお、第２通風経路１１ｐ２において、電動送風機１２よりも上流側はモータ吸気経路であり、電動送風機１２よりも下流側は排気経路である。
さらに、筐体１１の後壁には回路基板に電気的に接続された図示しない電源コードを気密に外部へ引き出す引出孔（不図示）が形成されると共に、例えば筐体１１の上壁には回路基板と電気的に接続された電源スイッチ（不図示）が設けられ、電動送風機１２は電源スイッチをＯＮすることにより駆動しＯＦＦすることにより停止する。なお、電動送風機１２の回転数を切り換えて吸引力を弱または強に切り換える吸引力切り換えスイッチを電源スイッチの近傍に設けてもよい。なお、電動送風機は、バッテリーによる駆動であってもよい。
【００２０】
＜集塵部について＞
図５は実施形態１の集塵装置における集塵部を示す斜視図であり、図６は図５の集塵部の縦断面図であり、図７は実施形態１の集塵装置における集塵部を示す別の斜視図である。
図５〜図７に示すように、集塵部としてのダストカップユニット２０は、除塵部としてのフィルターユニット２１と、フィルターユニット２１を嵌め込む開口部を有する円筒状の集塵カップ２２とを有する。なお、実施形態１では除塵部としてフィルターユニット２１を採用した場合を例示するが、除塵部はこれに限定されるものではない。
【００２１】
フィルターユニット２１は、集塵カップ２２内に配置される内筒部２１ａと、内筒部２１ａと連通するカップ部２１ｂと、カップ部２１ｂに着脱可能に嵌め込まれるフィルター２１ｃと、フィルター２１ｃに回転可能に設けられた除塵機構部２１ｄと、カップ部２１ｂに嵌め込まれたフィルター２１ｃを覆うカップカバー２１ｅと、カップカバー２１ｅの外周面に設けられた第１ロック部２１ｆとを備える。
【００２２】
内筒部２１ａは、メッシュ部材２１ａ1にて外周部を覆われた円筒枠体２１ａ2を有する。
カップ部２１ｂは、内筒部２１ａの円筒枠体２１ａ2と接続可能な接続孔を有し、集塵カップ２２の開口部に着脱可能に嵌め込まれる。
フィルター２１ｃは、プリーツ状に形成されており、その中心部には貫通孔が設けられている。
除塵機構部２１ｄは、フィルター２１ｃの貫通孔に回転可能に挿入された軸部２１ｄ1と、軸部２１ｄ1の一端部に連結された枠体に設けられた複数の摺動部２１ｄ2および摘み部２１ｄ3と、軸部２１ｄ1の他端部に連結されたワイパー部２１ｄ4とを備える。
【００２３】
カップカバー２１ｅは、除塵機構部２１ｄの摘み部２１ｄ3を外部から指で摘んで回せるようにするための窓部２１ｅ1を端部壁に有すると共に、空気排出口２１ｅ2を外周壁に有している。なお、空気排出口２１ｅ2は、カップカバー２１ｅの外周壁における後述のロックカバー２１ｅ3から中心角度９０°で周方向にずれた位置に配置されている。また、窓部２１ｅ1の周囲にはパッキン２１ｅ11が取り付けられている。
さらに、カップカバー２１ｅの外周壁には、後述する第２ロック部２２ｂのロック爪２２ｂ11が差し込まれることにより第２ロック部２２ｂを位置決めするロックカバー部２１ｅ3が設けられている。
【００２４】
第１ロック部２１ｆは、前記係止爪２１ｆ11を有するスライド部２１ｆ1と、係止爪２１ｆ11を集塵カップ２２とは反対方向（矢印Ｊ方向（図５））に付勢する圧縮バネ２１ｆ2とを有する。
スライド部２１ｆ1は、カップカバー２１ｅの外周壁におけるロックカバー２１ｅ3とは反対側に配置されている。
【００２５】
集塵カップ２２は、その外周面に空気導入口２２ａを有すると共に、外周面における空気導入口２２ａから中心角度９０°で周方向にずれた位置に第２ロック部２２ｂを有している。
第２ロック部２２ｂは、集塵カップ２２の外周面に揺動可能に設けられたロック爪２２ｂ11を有する押しボタン２２ｂ1と、押しボタン２２ｂ1を外方へ付勢する圧縮バネ２２ｂ2とを有する。
【００２６】
集塵カップ２２にフィルターユニット２１を装着した状態において、第２ロック部２２ｂのロック爪２２ｂ11はフィルターユニット２１のカップ部２１ｂの外周面に設けられた凹周溝２１ｂ1に係止し、それによってフィルターユニット２１と集塵カップ２２とが分離しないように連結される。また、第２ロック部２２ｂの押しボタン２２ｂ1を押すことにより、圧縮バネ２２ｂ2の付勢力に抗してロック爪２２ｂ11が外方へ揺動して凹周溝２１ｂ1から離脱し、それによってフィルターユニット２１と集塵カップ２２とが分離可能となる。
【００２７】
このように構成されたダストカップユニット２０を筐体１１の装着部１１ｃに装着した状態において、第１ロック部２１ｆの係止爪２１ｆ11が装着部１１ｃの係止凹部１１ｃ3（図３）に係止すると共に、カップカバー２１ｅの空気排出口２１ｅ2が装着部１１ｃの空気排出孔１１ｃ2とパッキン１１ｃ21を介して気密に接続する。また、集塵カップ２２の空気導入口２２ａが装着部１１ｃの空気流入孔１１ｃ1とパッキン１１ｃ11を介して気密に接続する。また、ダストカップユニット２０のカップカバー２１ｅにおける窓部２１ｅ1の周囲のパッキン２１ｅ11が装着部１１ｃの奥壁に密着し、これにより窓部２１ｅ1に外気が流入しないようにシールされる。さらに、ダストカップユニット２０の外周部の突出部分であるロックカバー２１ｅ3および第２ロック部２２ｂが、筐体１１の装着部１１ｃの底部に設けられた収納凹部１１ｃ1（図４）に嵌り込み、これによりダストカップユニット２０の奥行き方向（矢印Ｙ方向）の位置ずれおよび回動方向の位置ずれが規制されると共に、係止爪２１ｆ11の係止凹部１１ｃ3への係止によってダストカップユニット２０の上下方向の移動が規制される。
【００２８】
＜集塵装置の動作について＞
図８は実施形態１の集塵装置における空気の流れを説明する平断面である。
図１と図８に示すように、集塵装置１の電源スイッチ（不図示）をＯＮして電動送風機１２を駆動することにより、吸込口１１ｂから外気が吸い込まれる（矢印Ａ）。そのため、モップＭにて床面を拭き掃除して房糸Ｍｃにてダストを集め、房糸Ｍｃを集塵装置１の吸込口１１ｂの方へ近づけることによりダストが吸い取られる。
【００２９】
また、集塵装置１のモップ収納部１１ａにモップＭを起立状態で収納することにより、モップＭの房糸Ｍｃが吸込口１１ｂおよびダスト払い落とし部１１ａ13に近接するため、モップ収納部１１ａにおいてモップＭの柄部Ｍａを奥行き方向（矢印Ｙ方向）および左右方向（矢印Ｘ方向）に揺すって房糸Ｍｃをダスト払い落とし部１１ａ13の複数の突起１１ａ131に擦りつけることにより、房糸Ｍｃに付着したダストが払い落とされて空気と共に吸込口１１ｂ内へ吸い込まれる。
【００３０】
吸込口１１ｂ内に吸い込まれたダストを含む空気は、第１通風経路１１ｐ1を通過し、空気流入孔１１ｃ1およびダストカップユニット２０の集塵カップ２２の空気導入口２２ａを通って集塵カップ２２内に流入する（矢印Ｂ）。
集塵カップ２２内に流入したダストを含む空気が内筒部２１ａの周囲を旋回することによって比較的大きい第１のダストが空気から分離されて集塵カップ２２内に溜まり、第１のダストよりも小さい第２のダストを含む空気が内筒部２１ａのメッシュ部材２１ａ1を通って内筒部２１ａの内部からカップ部２１ｂ内に流入する（矢印Ｃ）。
【００３１】
カップ部２１ｂ内に第２のダストを含む空気が流入すると、第２のダストはフィルター２１ｃにて捕集され、第２のダストが除去された空気がフィルター２１ｃを通過し、さらにカップカバー２１ｅの空気排出口２１ｅ2および筐体１１の装着部１１ｃの空気排出孔１１ｃ2を通過して第２通風経路１１ｐ2のモータ吸気経路内に流入し（矢印Ｄ）、電動送風機１２を通過して第２通風経路１１ｐ2の排気経路を通って排気口１１ｄから外部に排出される（矢印Ｅ）。
【００３２】
このようにしてモップＭの房糸Ｍｃに付着したダストを除去した後、ダストカップユニット２０内のダストを廃棄する際は、まず、ダストカップユニット２０の第１ロック部２１ｆのスライド部２１ｆ1を手前にスライドさせることにより係止爪２１ｆ11を筐体１１の装着部１１ｃの係止凹部１１ｃ3から離脱させ、その状態でダストカップユニット２０を装着部１１ｃから引き抜いて取り外す（図２、図３、図５参照）。
【００３３】
次に、ダストカップユニット２０を垂直状に持ち、ダストカップユニット２０の摘み部２１ｄ3を指で摘んで回すことにより、複数の摺動部２１ｄ2がフィルター２１ｃの襞部を摺動して振動させるため、フィルター２１ｃに付着した第２のダストがカップ部２１ｂ内または内筒部２１ａ内に払い落とされる。
カップ部２１ｂの底面に付着した第２のダストは、摘み部２１ｄ3を回すことによって軸部２１ｄ1を介して回転するワイパー部２１ｄ4によって内筒部２１ａ内に払い落とされる（図６参照）。
【００３４】
その後、第２ロック部２２ｂの押しボタン２２ｂ1を押すことによりロック爪２２ｂ11がカップ部２１ｂの凹周溝２１ｂ1から離脱するため、集塵カップ２２をフィルターユニット２１から取り外し、集塵カップ２２内の第１および第２のダストを廃棄する。
なお、フィルターユニット２１は内筒部２１ａ、カップ部２１ｂ、フィルター２１ｃ（除塵部２１ｄ、ワイパー部２１ｄ4等を含む）およびカップカバー２１ｅに分解することができるため、これらをそれぞれ水洗いすることができる。
【００３５】
（実施形態２）
図９は実施形態２の集塵装置を示す斜視図であり、図１０は実施形態２の集塵装置における駆動部を右側から視た側断面図である。なお、図９と図１０において、図２と図３中の要素と同様の要素には同一の符号を付している。
図９と図１０に示すように、実施形態２の集塵装置１０１は、実施形態１の集塵装置１のモップ収納部１１ａに設けられたダスト払い落とし部１１ａ13とは異なる構成のダスト払い落とし部１１１ａ13を有すること以外は、実施形態２と概ね同様である。
【００３６】
実施形態２の場合、実施形態１におけるダスト払い落とし部１１ａ13の複数の突起１１ａ131を省略し、奥行き方向（矢印Ｙ方向）の幅を大きくした吸込口１１１ｂの内側に回転ブラシ１１１ａ131および回転ブラシ駆動用モータ１１１ａ134を含むダスト払い落とし機構部１１１ａ13を設けている。
【００３７】
さらに詳しく説明すると、回転ブラシ１１１ａ131は、円筒部材の外周面に複数のブラシ毛束１１１ａ1311が設けられたものであり、その両端部は筐体１１１内に設けられた図示しないリブによって回転可能に支持されている。この回転ブラシ１１１ａ131は、上方に位置するブラシ毛束１１１ａ1311が吸込口１１１ｂから外部へ突出する高さ位置に配置されている。
【００３８】
さらに、回転ブラシ１１１ａ131の一端軸部１１１ａ1312および回転ブラシ駆動用モータ１１１ａ134の出力軸１１１ａ1341にはプーリー１１１ａ132がそれぞれ取り付けられると共に、一対のプーリー１１１ａ132にタイミングベルト１１１ａ133が張架されている。なお、回転ブラシ駆動用モータ１１１ａ134は筐体１１１内に設けられた図示しないリブによって支持されている。
【００３９】
また、回転ブラシ駆動用モータ１１１ａ134に吸込口１１１ｂに流入するダストが付着しないように、回転ブラシ駆動用モータ１１１ａ134、タイミングベルト１１１ａ133および一対のプーリー１１１ａ132が図示しない区画壁によって第１通風経路１１ｐ1から隔離されるようにしてもよい。この場合、回転ブラシ１１１ａ131の一端軸部１１１ａ1312は区画壁を回転可能に貫通してプーリー１１１ａ132と連結する。
【００４０】
実施形態２の集塵装置１０１では、電源スイッチ（不図示）をＯＮすることにより、電動送風機１２および回転ブラシ駆動用モータ１１１ａ134が駆動する。これにより、回転ブラシ駆動用モータ１１１ａ134の出力軸１１１ａ1341の回転力が、回転力伝達機構である一方のプーリー１１１ａ132、タイミングベルト１１１ａ133および他方のプーリー１１１ａ132を介して回転ブラシ１１１ａ131に伝達され、回転ブラシ１１１ａ131が図１０に示す右側面側から視て時計回り（矢印Ｒ方向）に回転する。また、回転方向を反対方向に切り替えるスイッチを設けてもよい。
【００４１】
実施形態２の集塵装置１０１によれば、モップ収納部１１ａに収納したモップＭ（図１参照）の房糸Ｍｃに付着したダストが回転ブラシ１１１ａ131によって払い落とされ吸込口１１１ｂ内に流入してダストカップユニット２０に捕集される。この際、ユーザーはモップＭが倒れないように柄部Ｍａをしっかり持っておく必要はあるが、実施形態１の場合のようにモップＭの柄部Ｍａを揺するような動作をする必要はなく、回転ブラシ１１１ａ131によって房糸Ｍｃに付着したダストを効率よく払い落とすことができる。
【００４２】
（実施形態３）
図１１は実施形態３の集塵装置における駆動部を右側から視た側断面図である。なお、図１１において、図３中の要素と同様の要素には同一の符号を付している。
図１１に示すように、実施形態３の集塵装置２０１では、筐体２１１が、モップ収納部１１ａにて支持されたモップＭ（図１参照）の床面拭き材である房糸Ｍｃに対向するように開口する吹出口１１ｅと、第２通風経路１１ｐ2から分岐して吹出口１１ｅと連通する循環経路１１ｐ3とを有する。実施形態３において、その他の構成は実施形態１と概ね同様である。
【００４３】
実施形態３の集塵装置２０１において、吹出口１１ｅは、モップ収納部１１ａの傾斜奥壁部１１ａ14の上部にスリット状に形成されている。
また、第１通風経路１１ｐ1と第２通風経路１１ｐ2とを区画する区画壁１１ｗ1の第１通風経路１１ｐ1側には別の区画壁１１ｗ2が設けられ、これらの区画壁１１ｗ1、１１ｗ2の間が前記循環経路１１ｐ3とされると共に、第２通風経路１１ｐ2と循環経路１１ｐ3とを連通させる連通孔１１ｐ31が区画壁１１ｗ1に形成されている。
さらに、実施形態３の場合、循環経路１１ｐ3内にイオン発生機３０が設けられている。
【００４４】
実施形態３の集塵装置２０１では、電源スイッチ（不図示）をＯＮすることにより、電動送風機１２が駆動して、図８で説明したように筐体２１１内を空気が流れ、電動送風機１２を通過した空気の一部は排気口１１ｄから外部に排気されるが、図１１に示すように電動送風機１２を通過した他の空気は第２通風経路１１ｐ2から連通孔１１ｐ31を通って循環経路１１ｐ3内に流入し（矢印Ｆ）、循環経路１１ｐ3内の空気は吹出口１１ｅから外部の床面拭き材収納凹部１１ａ1内に排出される（矢印Ｇ）。この際、イオン発生機３０から発生したイオンも空気中に混入して床面拭き材収納凹部１１ａ1内に排出される。
【００４５】
実施形態３の集塵装置２０１によれば、電動送風機１２の駆動時に、モップ収納部１１ａに収納したモップＭ（図１参照）の房糸Ｍｃに向かってイオンを含む空気が噴射される。したがって、モップＭの柄部１１Ｍａを揺することにより、房糸Ｍｃが複数の突起１１ａ１３１に擦れて房糸１１Ｍｃに付着したダストが払い落とされると共に、イオンを含む空気と共にダストが吸込口１１ｂ内に吸い込まれてダストカップユニット２０内に捕集される。ダストカップユニット２０の集塵カップ２２（図６参照）内に流入したダストはイオンによって除電されるため、集塵カップ２２内から廃棄される際に集塵カップ２２にダストが付着することが抑制される。また、モップＭの房糸Ｍｃに付着したダストも除電されることにより払い落とされやすくなる。
【００４６】
（実施形態４）
図１２は実施形態４の集塵装置を示す斜視図である。なお、図１２において、図２中の要素と同様の要素には同一の符号を付している。
図１２に示すように、実施形態４の集塵装置３０１では、筐体３１１の上壁の上面にハンドル３１１ｈが設けられている。実施形態４において、その他の構成は実施形態１と概ね同様である。
【００４７】
詳しく説明すると、筐体３１１の上壁の上面にはハンドル収納用凹部３１１ｉが設けられており、このハンドル収納用凹部３１１ｉの内面にＵ形のハンドル３１１ｈの両端部が揺動可能に取り付けられている。
実施形態４の集塵装置３０１によれば、例えば、一階の室内のモップ掛けが終了した後、二階の室内のモップ掛けを行う際にハンドル３１１ｈを握って集塵装置３０１を運ぶことができるため便利である。この際、ユーザーは右手でハンドル３１１ｈを握り、モップＭがモップ収納部１１ａから出ないように左手で柄部Ｍａの根元付近を押えながら持ち運ぶことができる（図１参照）。
【００４８】
（実施形態５）
図１３はモップを収納した実施形態５の集塵装置を示す斜視図である。なお、図１３において、図１中の要素と同様の要素には同一の符号を付している。
図１３に示すように、実施形態５の集塵装置４０１は、集塵部であるダストカップユニット２０を縦置きした縦型タイプであり、ダストカップユニット２０を縦置きで装着可能な装着部４１１ｃと、柄部Ｍａ1が伸縮可能で長くかつ房糸Ｍｃ1が奥行き方向（矢印Ｙ方向）の幅が広いモップＭ1を収納可能なモップ収納部４１１ａとを備えている。
【００４９】
実施形態５の縦型の集塵装置４０１の場合、モップ収納部４１１ａの床面拭き材収納凹部４１１ａ1の左右方向（矢印Ｘ方向）の中間部から上方に向かって柄部収納凹部４１１ａ2が設けられると共に、柄部収納凹部４１１ａ2の左横に縦型の装着部４１１ｃが設けられている。また、装着部４１１ｃの内面上部に、ダストカップユニット２０の第１ロック部２１ｆの係止爪２１ｆ11（図５）が係脱可能に係止する係止凹部１１ｃ3（図３参照）が設けられている。さらに、柄部収納凹部４１１ａ2の下部には前後二列で吸込口（不図示）が設けられると共に、各列の吸込口に沿って複数の突起を含むダスト払い落とし部４１１ａ13が設けられている。
【００５０】
また、実施形態５の場合、装着部４１１ｃ内に装着されたダストカップユニット２０の空気導入口２２ａおよび空気排出口２１ｅ2は下と上に配置されるため、装着部４１１ｃに設けられる図示しない空気流入孔および空気排出孔（図３参照）も下と上に配置される。
また、図示しないが、筐体４１１の内部には、吸込口と空気流入孔とを連通する第１通風経路と、空気排出孔と排気口４１１ｄとを連通する第２通風経路と、第２通風経路内に配置された電動送風機とが設けられている。
実施形態５の集塵装置４０１によれば、床面と接する面積が広い房糸Ｍｃ１を有する大型のモップＭ１を収納し、かつ房糸Ｍｃ1に付着したダストを効率よく払い落とすことができる。
なお、実施形態５の集塵装置４０１における吸込口を一列してもよく、それにより筐体４１１の奥行き寸法を小さくしてコンパクト化することができる。
【００５１】
（他の実施形態）
１．実施形態２の回転ブラシの構成、実施形態３の吹出口の構成および実施形態４のハンドルの構成は、実施形態５の縦置き型の集塵装置にも適用可能である。
【００５２】
２．実施形態５の前後二列の吸込口は、実施形態１〜４の横置き型の集塵装置にも適用可能である。
【００５３】
３．実施形態４では筐体にハンドルを設けた場合を例示したが、それに加えて、モップ収納部に収納したモップが出ないようにするベルト（例えば、面状ファスナー）をモップ収納部に設けてもよい。この構成によれば、ハンドルを握って集塵装置を持ち運ぶ際、片方の手でモップの柄を押さえなくてもベルトにてモップがモップ収納部から出ないように押さえられているため、集塵装置の携帯性がより向上する。
【００５４】
４．実施形態１〜５では、床面拭き材として左右方向に延びる暖簾形の房糸を有するモップ用の集塵装置を例示したが、本発明の集塵装置は床面拭き材として各種形状の房糸を有するモップにも適用可能である。例えば、円板形の房糸を有するモップに対応すべく、モップ収納部の凹部形状を円形とし、かつ吸込口を一重、二重等の円環形または渦巻き形等に形成してもよい。
【００５５】
５．実施形態１〜５では、集塵部であるダストカップユニットの除塵部にフィルターユニットを採用した場合を例示したが、第１遠心分離部と第２遠心分離部とを有するマルチサイクロンを除塵部に採用してもよい。
【００５６】
６．実施形態１〜５では、集塵部としてのサイクロン方式のダストカップユニットを筐体の装着部に着脱可能に構成された集塵装置を例示したが、集塵部を紙パックとし、筐体に紙パックを気密に収納可能な集塵室を設けてもよい。この構成によれば、集塵部に溜まったダストの廃棄を容易かつ迅速に行うことができる。
【００５７】
７．実施形態１〜５では、モップの床面拭き材として房糸を用いた場合を例示したが、房糸の代わりに雑巾や不織布といった布材を用いたモップにも本発明の集塵装置を使用可能である。
【００５８】
（まとめ）
本発明の集塵装置は、柄部の基端に床面拭き材を有するモップを起立状態で支持可能なモップ収納部と、前記モップ収納部にて支持されたモップの床面拭き材の近傍に設けられた吸込口と、前記吸込口と第１通風経路を介して連通する集塵部と、前記集塵部と第２通風経路を介して連通する排気口と、前記第２通風経路に設けられた電動送風機とを備える。
【００５９】
本発明の集塵装置は、次のように構成されてもよく、それらが適宜組み合わされてもよい。
（１）前記モップ収納部にて支持されたモップの床面拭き材に擦りつけられて前記床面拭き材に付着したダストを払い落とす複数の突起を有するダスト払い落とし部が、前記吸気口の近傍に設けられてもよい。
この構成によれば、床面拭き材に付着したダストをより効果的に払い落とすことができる。
【００６０】
（２）前記モップ収納部にて支持されたモップの床面拭き材に接触しながら回転して前記床面拭き材に付着したダストを払い落とす回転ブラシを有するダスト払い落とし機構部が、前記吸気口の近傍に設けられてもよい。
この構成によれば、床面拭き材に付着したダストを自動的に、効率的にかつより効果的に払い落とすことができる。
【００６１】
（３）前記電動送風機、前記第１通風経路および前記第２通風経路を内部に収納する筐体をさらに備え、
前記集塵部は、空気導入口を有する集塵カップと、前記集塵カップに着脱可能に設けられた空気排出口を有する除塵部とを有し、
前記筐体は、前記集塵部を着脱可能に装着する装着部を有し、
前記装着部は、前記第１通風経路と連通しかつ前記集塵部の前記空気導入口と気密に接続可能な空気流入孔と、前記第２通風経路と連通しかつ前記集塵部の前記空気排出口と気密に接続可能な空気排出孔を有してもよい。
この構成によれば、サイクロン方式の集塵部を用いることができるため、集塵量が多くなっても吸引力の低下を抑制することができる。
【００６２】
（４）前記筐体の前記装着部が、前記集塵部を横置きまたは縦置きに装着するように構成されてもよい。
装着部が集塵部を横置きに装着するように構成された場合、筐体の上下高さを小さくすることができる。
装着部が集塵部を縦置きに装着するように構成された場合、筐体の奥行きを小さくすることができる。
【００６３】
（５）前記筐体が、前記モップ収納部にて支持されたモップの床面拭き材に対向するように開口する吹出口と、前記第２通風経路から分岐して前記吹出口と連通する循環経路とを有してもよい。
この構成によれば、モップの床面拭き材に付着したダストを払い落とす際、吹出口から吹き出した気流が床面拭き材に当たるため、床面拭き材からより効果的にダストを払い落とすことができると共に、吹き出した気流と共にダストを吸込口にて吸い込むことができる。
【００６４】
（６）前記循環経路内に配置されたイオン発生機をさらに備えてもよい。
この構成によれば、吹出口から吹き出した気流中にイオンを含ませることができるため、イオンを含む気流がダストと共に吸込口に吸い込まれて集塵部に流入し、集塵カップ内の帯電したダストを除電し、ダスト廃棄時のダストの集塵カップへの付着を抑制することができる。
【００６５】
（７）前記筐体にハンドルが設けられてもよい。
この構成によれば、ユーザーはハンドルを握って集塵装置を持ち運ぶことができるため、集塵装置の携帯性が向上する。この際、例えば、ユーザーは右手で集塵装置のハンドルを握り、モップがモップ収納部から出ないように左手で柄部の根元付近を押えながら持ち運ぶことができる。
【００６６】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６７】
１、  １０１、２０１、３０１、４０１  集塵装置
１１、１１１、２１１、３１１、４１１  筐体
１１ａ、４１１ａ  モップ収納部
１１ａ13、４１１ａ13  ダスト払い落とし部
１１ａ131  突起
１１ｂ、１１１ｂ  吸込口
１１ｃ、４１１ｃ  装着部
１１ｃ1  空気流入孔
１１ｃ2  空気排出孔
１１ｄ  排気口
１１ｅ  吹出口
１１ｐ1  第１通風経路
１１ｐ2  第２通風経路
１１ｐ3  循環経路
１２  電動送風機
２０  ダストカップユニット（集塵部）
２１  フィルターユニット（除塵部）
２１ｅ2  空気排出口
２２  集塵カップ
２２ａ  空気導入口
３０  イオン発生機
１１１ａ13  ダスト払い落とし機構部
１１１ａ131  回転ブラシ
３１１ｈ  ハンドル
Ｍ、Ｍ1  モップ
Ｍｃ、Ｍｃ1  房糸（床面拭き材）
【図１】
2019170664.tif 000003
【図２】
2019170664.tif 000004
【図３】
2019170664.tif 000005
【図４】
2019170664.tif 000006
【図５】
2019170664.tif 000007
【図６】
2019170664.tif 000008
【図７】
2019170664.tif 000009
【図８】
2019170664.tif 000010
【図９】
2019170664.tif 000011
【図１０】
2019170664.tif 000012
【図１１】
2019170664.tif 000013
【図１２】
2019170664.tif 000014
【図１３】
2019170664.tif 000015